(57)【要約】【課題】十分な強度を確保しつつ組立てが極めて容易であるだけでなく、内部に収容される物品の位置ずれを十分に防止することができる仕切付き組立包装箱を提供する。【解決手段】左右の側板１３，１４を起立させ、重合板１７，１８を内方に折り曲げ、第１前側板４を起立させて第２前側板５を内側に折り返す。次いで、連結板１９，２５及び縦仕切板２０，２６を内方に夫々直角に折り曲げる。続いて、横仕切板２０，２６を互いに重合させる方向に折り曲げて切込み２４，３０同士を互いに係合させる。遊離片２２，２８を、縦仕切板２０，２６から遊離させ、横仕切板２１，２７の先端の延出部２３，２９の夫々に各遊離片２２，２８を重合させる。後側板８を起立させて両連結板１９，２５の外側面に重合させ、蓋板９を底板３に平行となるように折り曲げて閉蓋させる。【選択図】図１
2010173656.tif 000002
【特許請求の範囲】
【請求項１】
板紙を組立てることにより箱形状に形成され、組立てと同時に箱内部を複数に区画する仕切が形成される仕切付き組立て包装箱であって、
底板の左右の各端縁に折目線を介して連設された左側板と右側板とを互いに対向するように起立させると共に、左側板と右側板との夫々の前端縁に折目線を介して連設された重合板を内方に直角に折り曲げ、
底板の前端縁に折目線を介して連設された第１前側板を起立させて両重合板の外側面に重合させ、
第１前側板の先端縁に折目線を介して連設された第２前側板を両重合板の外側面に重合させると共に、第１前側板と第２前側板との間に両重合板を挟みこんで保持し、
左側板と右側板との夫々の後端縁に折目線を介して連設された連結板を内方に直角に折り曲げると共に、両連結板の夫々の先端縁に折目線を介して連設された縦仕切板を更に内方に直角に折り曲げて両縦仕切板を互いに対向させ、
両縦仕切板の夫々の先端縁に折目線を介して連設された横仕切板を互いに重合させる方向に折り曲げると共に、両横仕切板に形成された切込み同士を互いに係合させ、
各縦仕切板に遊離自在に形成され、横仕切板の縦仕切板側の端縁に折目線を介して連設された遊離片を、縦仕切板から遊離させて横仕切板と反対方向に折り曲げると共に、各横仕切板の先端に形成された延出部を縦仕切板の横仕切板側の端縁の外側から遊離片に重合させ、
底板の後端縁に折目線を介して連設された後側板を起立させて両連結板の外側面に重合させ、
後側板の先端縁に折目線を介して連設された蓋板を底板に平行となるように折り曲げて閉蓋させてなることを特徴とする仕切付き組立て包装箱。
【請求項２】
前記後側板及び前記蓋板を前記底板の外側下方に折り返すと共に、蓋板の先端に突設された凸片を底板に形成された係止孔に挿着させることにより、箱内部が露出した状態で前側が下方となる傾斜姿勢とされることを特徴とする請求項１記載の仕切付き組立て包装箱。
【発明の詳細な説明】
【技術分野】
【０００１】
本発明は、板紙を組立てることにより箱形状に形成され、組立てと同時に箱内部を複数に区画する仕切が形成される仕切付き組立包装箱に関する。
【背景技術】
【０００２】
複数の物品を箱内部に収納したとき、各物品の位置ずれ等を防止して物品の整列状態を維持するために、箱内部に仕切りが設けられる。この種の仕切りは、包装箱とは別体に形成されていて、包装箱を形成した後に箱内部に装着される（下記特許文献１参照）。しかし、このものでは。包装箱と仕切りとが別体であることにより、包装箱と仕切りとの保管や組立作業を別々に行わなければならず、使い勝手が悪い。
【０００３】
そこで、従来、包装箱の組立て作業により箱内部に仕切りが設けられるように構成された仕切付き組立包装箱が知られている（下記特許文献２参照）。しかし、このものでは、底板の前端縁に連設された前側板と、底板の左右の各端縁に連設された右側板及び左側板とに仕切りを形成する部分が連設されているため、構造が複雑であって仕切り形成時の組立て工数が多く、迅速に組立てるには作業者の熟練を要する不都合がある。しかも、仕切りの一部が前側板に連設されているために、前側板と右側板及び左側板との連結状態が不十分となり、前側板の強度が比較的低い不都合がある。
【０００４】
また、比較的組立て容易な仕切付き組立包装箱として、底板の左右の各端縁に連設された右側板と左側板とにのみ仕切りを形成する縦仕切板及び横仕切板を連設し、右側板と左側板との夫々に対して縦仕切板及び横仕切板を折り曲げて、両横仕切板を切込みにより互いに係合させることで箱内部を区画するようにしたものが知られている（下記特許文献３参照）。これによれば、極めて簡単に組立てることが可能となると共に、前側板と右側板及び左側板とを強固に連結して前側板により高い強度を得ることができる。しかし、箱内部が平面視四角形状の部分と平面視コ字形状の部分とに区画されるのみであり、各物品の位置ずれ防止や整列状態の維持が不十分となる不都合がある。
【先行技術文献】
【特許文献】
【０００５】
【特許文献１】特開平１１−３０１６４６号公報
【特許文献２】実公昭３９−２４０７０号公報
【特許文献３】実開昭５６−１００１９号公報
【発明の概要】
【発明が解決しようとする課題】
【０００６】
上記の点に鑑み、本発明は、十分な強度を確保しつつ組立てが極めて容易であるだけでなく、内部に収容される物品の位置ずれを十分に防止することができる仕切付き組立包装箱を提供することを課題とする。
【課題を解決するための手段】
【０００７】
かかる課題を解決するために、本発明は、板紙を組立てることにより箱形状に形成され、組立てと同時に箱内部を複数に区画する仕切が形成される仕切付き組立包装箱であって、底板の左右の各端縁に折目線を介して連設された左側板と右側板とを互いに対向するように起立させると共に、左側板と右側板との夫々の前端縁に折目線を介して連設された重合板を内方に直角に折り曲げ、底板の前端縁に折目線を介して連設された第１前側板を起立させて両重合板の外側面に重合させ、第１前側板の先端縁に折目線を介して連設された第２前側板を両重合板の外側面に重合させると共に、第１前側板と第２前側板との間に両重合板を挟みこんで保持し、左側板と右側板との夫々の後端縁に折目線を介して連設された連結板を内方に直角に折り曲げると共に、両連結板の夫々の先端縁に折目線を介して連設された縦仕切板を更に内方に直角に折り曲げて両縦仕切板を互いに対向させ、両縦仕切板の夫々の先端縁に折目線を介して連設された横仕切板を互いに重合させる方向に折り曲げると共に、両横仕切板に形成された切込み同士を互いに係合させ、各縦仕切板に遊離自在に形成され、横仕切板の縦仕切板側の端縁に折目線を介して連設された遊離片を、縦仕切板から遊離させて横仕切板と反対方向に折り曲げると共に、各横仕切板の先端に形成された延出部を縦仕切板の横仕切板側の端縁の外側から遊離片に重合させ、底板の後端縁に折目線を介して連設された後側板を起立させて両連結板の外側面に重合させ、後側板の先端縁に折目線を介して連設された蓋板を底板に平行となるように折り曲げて閉蓋させてなることを特徴とする。
【０００８】
本発明によれば、右側板と左側板との夫々の後端縁に連設された縦仕切板と横仕切板とを折り曲げて、横仕切板の切込み同士を互いに係合させ、更に遊離片を縦仕切板から遊離させるだけで、箱の組立てと同時に仕切りを形成することができるので、極めて簡単に組立てることができる。また、左側板と右側板との夫々の前端縁に連設された重合板は、第１前側板と第２前側板とに挟みこまれて保持されるので、第１前側板及び第２前側板と左側板及び右側板との連結状態を強固に形成することができ、強度が向上する。そして、一対の縦仕切板と、切込みを介して互いに連結された一対の横仕切板とにより、箱内部に平面視四角形状に区画された部分を形成するだけでなく、前記遊離片により、更に横仕切板の左右が延長された状態となり、箱内部における左側板と右側板との間に縦仕切板を介して３つの空間を区画することができる。これによれば、例えば、６つの物品を横仕切板と一対の遊離片とで３つずつ仕切ることができ、少ない仕切り区画数で、物品の位置ずれ防止と整列状態の維持とを効率良く行うことができる。しかも、各遊離片は、各横仕切板の先端に形成された延出部に重合することによって、遊離片の不用意な折れ曲がりが規制されるので、仕切り状態を確実に維持することができる。
【０００９】
そして、本発明の包装箱においては、前記後側板及び前記蓋板を前記底板の外側下方に折り返すと共に、蓋板の先端に突設された凸片を底板に形成された係止孔に挿着させることにより、箱内部が露出した状態で前側が下方となる傾斜姿勢として、箱内部の物品を視認性の高い状態で陳列することができる。そしてこのとき、縦仕切板と、横仕切板と、更に、遊離片とで箱内部に収納される物品の前後方向の位置ずれが防止されるので、例えば、パック入り野菜等の潰れ易いものであっても、傾斜姿勢となった際に、上方の物品が下方の物品に接触して押し潰すことなく確実に整列状態が維持される。しかも、遊離片で仕切られた傾斜方向上下の物品のうち、下方の物品のみを箱内部から取り除いても、横仕切板の先端の延出部により遊離片の下方への折れ曲がりが規制されていることによって、上方の物品が傾斜する底板に沿ってずれ落ちることもなく、傾斜させた箱内部の物品の整列状態を維持して良好な陳列を行うことができる。
【図面の簡単な説明】
【００１０】
【図１】本発明の実施形態の仕切付き組立包装箱を示す斜視図。
【図２】図１の包装箱の展開図。
【図３】図１の包装箱を傾斜姿勢とした説明的側面図。
【発明を実施するための形態】
【００１１】
本発明の一実施形態を図面に基づいて説明する。本実施形態の組立包装箱は、図１に示すように、箱本体１の内部に仕切り２が形成されていて図示しない６つの物品を整列して包装するものである。本実施形態において箱本体１の内部に収納される物品としては、外形が大略直方体状のものを想定しており、例えば、きのこ等のパック入り野菜類を挙げることができる。
【００１２】
本実施形態の組立包装箱は、一枚の段ボール製板紙を折り曲げるだけで箱形状に組み立てることができ、接着剤等を用いることなく箱形状を維持することができるようになっている。
【００１３】
その展開状態は、図２に示す構成となっている。即ち、矩形状の底板３の前側縁には折目線ａを介して第１前側板４が連設され、第１前側板４の先端縁（組立後には上端縁となる）には折目線ｂを介して第２前側板５が連設されている。第２前側板５の先端（組立後には下端となる）には、一対の凸部６が形成されており、底板３と第１前側板４との境界には、組立状態で凸部６を係止する一対の凸部係止孔７が形成されている。
【００１４】
底板３の後側縁には折目線ｃを介して後側板８が連設されており、後側板８の先端縁（組立後には上縁となる）には蓋板９が連設されている。また、蓋板９の先端には折目線ｄを介して凸片１０が形成されている。第１前側板４と第２前側板５と境界には、組立後の閉蓋時に凸片１０を係止する第１凸片係止孔１１が形成されており、更に、底板３と第１前側板４との境界には、後述するように組立後の開蓋時に凸片１０を係止可能とする第２凸片係止孔１２が形成されている。
【００１５】
底板３の左右の側縁には、夫々折目線ｅ，ｆを介して左側板１３と右側板１４とが連設され、両側板１３，１４の夫々の先端縁（組立後には上縁となる）には折目線ｇ，ｈを介して短フラップ１５，１６が連設されている。
【００１６】
左右の両側板１３，１４の夫々の前側縁には折目線ｉ，ｊを介して第１及び第２重合板１７，１８が連設されている。また、左側板１３の後側縁には折目線ｋを介して第１連結板１９が連設されており、第１連結板１９の先端縁には折目線ｍを介して第１縦仕切板２０が連設されている。第１縦仕切板２０の先端縁には折目線ｎを介して第１横仕切板２１が連設されている。第１縦仕切板２０には切目線ｗにより第１縦仕切板２０から遊離自在とされた第１遊離片２２が形成されている。第１遊離片２２は、一辺が折目線ｐにより第１横仕切板２１に連設されている。本実施形態においては、箱本体１の内部に収納する複数の物品の形状が全て同一であるため、第１縦仕切板２０は左側板１３の半分の長さ寸法とされ、第１縦仕切板２０と第１連結板１９とは同じ長さ寸法に形成されている。第１横仕切板２１は、第１縦仕切板２０よりも長い寸法に形成され第１縦仕切板２０よりも長く延出する部分が第１延出部２３とされている。そして、第１遊離片２２は第１延出部２３よりも長い寸法に形成されている。更に、第１横仕切板２１の長さ方向中央の一側には第１切込み２４が形成されている。
【００１７】
同じように、右側板１４の後側縁には折目線ｑを介して第２連結板２５が連設されており、第２連結板２５の先端縁には折目線ｒを介して第２縦仕切板２６が連設されている。第２縦仕切板２６の先端縁には折目線ｓを介して第２横仕切板２７が連設されている。第２縦仕切板２６には切目線ｘにより第２縦仕切板２６から遊離自在とされた第２遊離片２８が形成されている。第２遊離片２８は、一辺が折目線ｔにより第２横仕切板２７に連設されている。そして、第２連結板２５、第２縦仕切板２６、第２横仕切板２７、及び第２遊離片２８は、夫々が第１連結板１９、第１縦仕切板２０、第１横仕切板２１、及び第１遊離片２２と同じ大きさに形成されている。更に、第２横仕切板２７は、第２縦仕切板２６よりも長く延出する部分が第２延出部２９とされており、第２横仕切板２７の長さ方向中央の一側には、第１横仕切板２１の第１切込み２４に係合する第２切込み３０が形成されている。
【００１８】
図２に示す展開状態から箱形状に組み立てるときには、先ず、底板３の両側から左側板１３と右側板１４とを互いに対向するように起立させ、第１重合板１７と第２重合板１８とを内方に直角に（折目線ａ上に沿うように）折り曲げる。次いで、第１前側板４を底板３の前側縁から起立させ、第２前側板５を第１前側板４の内側に折り返して第１重合板１７と第２重合板１８とを挟み込む。このとき、第２前側板５の凸部６を凸部係止孔７に係止させることにより、第１前側板４と第２前側板５とにより第１重合板１７及び第２重合板１８の保持状態が強固に維持される。
【００１９】
続いて、図１に示すような仕切り２を形成する。即ち、両連結板１９，２５及び両縦仕切板２０，２６を夫々内側に折り曲げ、更に、両横仕切板２１，２７を互いに重なる方向に折り曲げる。このとき、第１横仕切板２１の第１切込み２４と第２横仕切板２７の第２切込み３０とを互いに係合させる。これにより、互いに対向する両縦仕切板２０，２６と、両切込み２４，３０により連結された両横仕切板２１，２７により平面視矩形状に区画された物品の収納部が形成される。また、第１横仕切板２１の左側には第２横仕切板２７の第２延出部２９が延出し、第２横仕切板２７の右側には第１横仕切板２１の第１延出部２３が延出する。そして、第１縦仕切板２０から第１遊離片２２を遊離させて左側に折り曲げ、第１遊離片２２を第２延出部２９に当接させる。同じく、第２縦仕切板２６から第２遊離片２８を遊離させて右側に折り曲げ、第２遊離片２８を第１延出部２３に当接させる。こうすることにより、第１縦仕切板２０の左側と、第２縦仕切板２６の右側とに、各遊離片２２，２８により区画された物品の収納部が形成される。
【００２０】
次いで、後側板８を底板３の後側縁から起立させることで、図１に示す形状に組立てられる。そして、蓋板９を底板３に対向させるように折り曲げることにより、箱本体１を閉蓋することができ、その際に凸片１０を第１凸片係止孔１１に挿入することにより、蓋板９による閉蓋状態を維持することができる。なお、開蓋状態で箱本体１内部に物品を収納するときには、一対の短フラップ１５，１６を外側に折り曲げておき、閉蓋状態とするときには、蓋板９を折り曲げるに先立って短フラップ１５，１６を内側に折り曲げる。
【００２１】
以上のようにして形成された組立包装箱には、箱本体１の内部が、仕切り２によって前後方向に２分割され、後方側が３分割される。そして、箱本体１の内部の前方側に３つの物品を隣接させて収納し、後方側の３つに区画された各部に１つずつ物品を収納する。
【００２２】
また、組立包装箱は、閉蓋状態として箱本体１の内部を露出させ、収納された物品を陳列する場合には、図３に側面視して示すように、後側板８及び蓋板９を底板３の外側下方に折り返し、凸片１０を第２凸片係止孔１２に挿入して係止させることにより、箱本体１を容易に且つ確実に傾斜させることができ、内部の物品の視認性を向上させることができる。そしてこのとき、両横仕切板２１，２７と両遊離片２２，２８とで箱本体１の内部に収納される物品の前後方向の位置ずれが防止されるので、例えば、物品がパック入り野菜等の潰れ易いものであっても、上方の物品が下方の物品に接触して押し潰すことなく確実に整列状態が維持される。しかも、各遊離片２２，２８で仕切られた傾斜方向上下の物品のうち、下方の物品のみを箱内部から取り除いても、両横仕切板２１，２７の先端の各延出部２３，２９により遊離片２２，２８の下方への折れ曲がりが規制され、上方の物品が傾斜する底板３に沿ってずれ落ちることもなく、傾斜させた箱本体１の内部の物品の整列状態を維持して良好な陳列を行うことができる。
【符号の説明】
【００２３】
２…仕切り、３…底板、４…第１前側板、５…第２前側板、８…後側板、９…蓋板、１０…凸片、１２…第２凸片係止孔（係止孔）、１３…左側板、１４…右側板、１７，１８…重合板、１９…第１連結板（連結板）、２０…第１縦仕切板（縦仕切板）、２１…第１横仕切板（横仕切板）、２２…第１遊離片（遊離片）、２３…第１延出部（延出部）、２４…第１切込み（切込み）、２５…第２連結板（連結板）、２６…第２縦仕切板（縦仕切板）、２７…第２横仕切板（横仕切板）、２８…第２遊離片（遊離片）、２９…第２延出部（延出部）、３０…第２切込み（切込み）。
【図１】
2010173656.tif 000003
【図２】
2010173656.tif 000004
【図３】
2010173656.tif 000005